(57)【要約】      （修正有）【課題】電気発熱ボードを定形化し、加温面積の拡狭に応じて前記電気発熱ボードの数を増減することによって加温面積の拡狭調節を図り、かつ表裏取り換えて固定できる電気発熱ボードを提供する。【解決手段】配線した複数の縁枠を含む縁枠と、電熱パネルの固定板と、該電熱パネルの固定板への着脱自在に取り付ける電熱パネルとを組み合わせたことを特徴とする電気発熱ボードであり、電熱パネルの固定板の縁枠に配線した該縁枠を主々固定した縁枠付固定板の単独枠又は複数連結枠の左右縁に、左右の縁枠を連結固定し、前記縁枠付固定板の内側へ電熱パネルを着脱自在に取り付けたことを特徴とする電気発熱ボードであり、電熱パネルの固定は、電熱パネルの上下側縁部に設けた凹入部へ、縁枠の内側に取り付けた出入可能な凸部を嵌合させたものである。【選択図】図１
0003142453.tif 000002
【実用新案登録請求の範囲】
【請求項１】
配線した複数の縁枠を含む縁枠と、電熱パネルの固定板と、該電熱パネルの固定板へ着脱自在に取り付ける電熱パネルとを組み合わせたことを特徴とする電気発熱ボード。
【請求項２】
電熱パネルの固定板の縁枠に配線した該縁枠を夫々固定した縁枠付固定板の単独枠又は複数連結枠の左右縁に、左右の縁枠を連結固定し、前記縁枠付固定板の内側へ電熱パネルを着脱自在に取り付けたことを特徴とする電気発熱ボード。
【請求項３】
電熱パネルの固定は、電熱パネルの上下側縁部に設けた凹入部へ、縁枠の内側に取り付けた出入可能な凸部を嵌合させたことを特徴とする請求項１又は２記載の電気発熱ボード。
【請求項４】
電熱パネルは、化粧板の内側へ断熱板を層着し、該断熱板の内側へ電熱ヒータを層着し、該電熱ヒータの内側へ絶縁伝熱板を層着したことを特徴とする請求項１又は２記載の電気発熱ボード。
【請求項５】
電熱ヒータの端子と、縁枠内の配線端子とは、接触接続としたことを特徴とする請求項１又は２記載の電気発熱ボード。
【請求項６】
電気発熱ボードを構成する縁枠と、固定板とは、固定板の単独又は複数連結に対応して縁枠を連結し、前記固定板に夫々発熱パネルを固定して、発熱面積を広狭選択可能としたことを特徴とする請求項１又は２記載の電気発熱ボード。
【請求項７】
電熱パネルは、一面を伝熱面とし、他面を化粧板とし、伝熱面と、化粧板面の設置側を選択可能としたことを特徴とする請求項１又は２記載の電気発熱ボード。
【請求項８】
電気発熱ボードの固定は、ビス止め又は接着剤止めとしたことを特徴とする請求項１又は２記載の電気発熱ボード。
【考案の詳細な説明】
【技術分野】
【０００１】
この考案は、壁その他の取付面に固定して固定部付近を加熱することを目的とした電気発熱ボードに関する。
【背景技術】
【０００２】
従来カウンター、机、テーブルその他任意の家具類に設置できるようにした電気発熱ボードが提案されている。
【０００３】
また電気発熱シートを用いた床パネル、暖房床、暖房畳などの提案もある。
【特許文献１】実用新案登録第３１２０２９１号
【特許文献２】特開２００７−３０９６３６
【特許文献３】特開２００５−２１４４５６
【考案の開示】
【考案が解決しようとする課題】
【０００４】
前記従来の電気発熱ボードは、カウンターその他へ固定して使用するが、不使用時にも、そのまま取り付けられており、発熱面へ他物が接触して発熱面が破損するおそれがあった。また外側へ向いている発熱面が汚損するおそれがあった。また電気発熱ボードが固着している為に、これを交換する必要があった場合に取り外しによって破損するおそれがあり、又は取り外しに時間が掛かるなどの問題点があった。更には、取付場所の長さに応じて面積を拡大又は縮小できないなどの使用上の問題点もあった。
【課題を解決するための手段】
【０００５】
この考案は、電気発熱ボードを定形化し、加温面積の拡狭に応じて前記電気発熱ボードの数を増減することによって加温面積の拡挟調節を図り、かつ表裏取り換えて固定できるようにし、前記従来の問題点を解決したのである。
【０００６】
即ち表面側（電熱パネル）は、発熱面を露出し、又は伝熱板で被覆しているので、比較的衝撃力に弱い場合が多い。また裏面は硬質ボードその他強度の大きい材質を使用し得るので、衝撃力に十分対応できるとされていた。そこで、電気発熱ボードの使用時（例えば冬）は、電熱パネルを室内に向けて露出し、不使用時（例えば夏季）は、硬質ボードを室内に露出しておけば、他物の接触又は衝撃に耐えることができた。また電気発熱ボードを固定板に固定し、該固定板の四周へ縁枠を設ければ、電熱パネルを堅固に保護することができる。
【０００７】
即ちこの考案は、配線した複数の縁枠を含む縁枠と、電熱パネルの固定板と、該電熱パネルの固定板へ着脱自在に取り付ける電熱パネルとを組み合わせたことを特徴とする電気発熱ボードであり、電熱パネルの固定板の縁枠に配線した該縁枠を夫々固定した縁枠付固定板の単独枠又は複数連結枠の左右縁に、左右の縁枠を連結固定し、前記縁枠付固定板の内側へ電熱パネルを着脱自在に取り付けたことを特徴とする電気発熱ボードであり、電熱パネルの固定は、電熱パネルの上下側縁部に設けた凹入部へ、縁枠の内側に取り付けた出入可能な凸部を嵌合させたものである。
【０００８】
また他の考案は、電熱パネルは、化粧板の内側へ断熱板を層着し、該断熱板の内側へ電熱ヒータを層着し、該電熱ヒータの内側へ絶縁伝熱板を層着したものであり、電熱ヒータの端子と、縁枠内の配線端子とは、接触接続としたものであり、電気発熱ボードを構成する縁枠と、固定板とは、固定板の単独又は複数連結に対応して縁枠を連結し、前記固定板に夫々発熱パネルを固定して、発熱面積を広狭選択可能としたものである。
【０００９】
更に、電熱パネルは、一面を伝熱面とし、他面を化粧板とし、伝熱面と、化粧板面の設置側を選択可能としたものであり、電気発熱ボードの固定は、ビス止め又は接着剤止めとしたものである。
【００１０】
前記考案における電熱パネルは、絶縁フィルム又はボードへカーボン粒子を塗布し、又はカーボンメッシュを層着し、その上面へ絶縁フィルム又は伝熱板を被着したものである。
【００１１】
前記固定板はアルミニウム板又は合成樹脂板とし、縁枠も同質の材料を使用する。前記縁枠は、中空として配線可能とし、その端面には凹凸部を設けて嵌合容易としてある。
【考案の効果】
【００１２】
この考案によれば、電熱パネルの固定板の上下左右へ縁枠を固定したので、電熱パネルを堅固に保持できると共に、電熱パネルを表裏を変えて着脱自在としたので、電熱パネルの取付数を一枚から複数枚まで自由に選択できる共に、表裏交換して取付できるので、使用時と、不使用時の露出面を変えて電熱パネルの発熱面を保護し、かつ模様換えできるなどの効果がある。
【考案を実施するための最良の形態】
【００１３】
この考案は、配線した縁枠を夫々固定した縁枠付固定板の左右縁に左右の縁枠を固定し、前記固定板の内側へ電熱パネルを着脱自在に取り付けて、この考案の電気発熱ボードを構成した。前記電熱パネルは、外側から、化粧板、合成樹脂発泡材よりなる断熱板、電熱ヒータ及び絶縁伝熱板を順次層着して固定したものである。前記電熱ヒータは、例えば絶縁フィルム又はボードへカーボン粒子を塗布し、又はカーボンメッシュを層着したもので、製造時に発熱温度の上限を規制した電熱ヒータとすることもできる。前記における縁枠には、配線を含む縁枠と、配線を含まない縁枠とあるが、電気回路に応じ適宜使用する。また縁枠と、電熱パネルとは接触により通電するようにしてある。従って縁枠へ電熱パネルを嵌合すれば、自動的に通電する。
【００１４】
前記電気発熱ボードは、ビス又は接着剤を用いて側壁又は側板へ固定することができるが、他の手段（例えば押さえ杆を使用）により、側壁又は側板へ固定することもできる。要するに、固定方式に制約はない。次に、電熱パネルと固定板との固定は、例えば固定板の縁枠に設けた掛止突部を、電熱パネルの縁部へ設けた溝へ嵌合することにより、着脱自在とすることができる。
【実施例１】
【００１５】
この考案の実施例を、図１，２に基づいて説明すれば、合成樹脂製の格子状の固定板１の上下に中空縁枠２，２を固定して、枠付固定板とし、この枠付固定板を２つ連結して連結固定板とすると共に、その左右両側へ中空縁枠３，３を固定して、枠付固定板４とし、該枠付固定板４へ電熱パネル５，５を嵌着固定して電気発熱ボード１０としたものである。
【００１６】
前記中空縁枠２，２と、３，３との連結は、当接部の突起６と、凹部７との嵌合によるものであり、電熱パネル５，５と、中空縁枠２，２，３，３との嵌合は、電熱パネル５，５の側面へ設けた溝８，８へ、前記中空縁枠２，２，３，３へ設けた出入可能なローラ９，９を嵌合したものである。前記ローラ９，９は、溝１１，１１内へ板バネ１２に支持されており、ローラ９，９を加圧することにより、板バネ１２を下圧し、該板バネ１２を矢示１３の方向へ下降させ、前記ローラ９，９の上面と、縁枠上面とを面一にして発熱パネル５，５を押し込み、電熱パネルの溝８，８へローラ９，９が入ることによって、縁枠と電熱パネル５，５とを掛止固定することができる。前記実施例は、凸部としてローラ９を用いたが、ローラ９に代えて断面弧状の枠体を用いることができる。
【００１７】
前記縁枠の中空部には、電線１４が敷設されており、電線１４と、接片１５、１５ａとが当接して回路を完結する。そこで、電源からコード１６を介して通電すれば、各電熱パネル５，５に通電し、発熱することができる。
【００１８】
即ちこの考案は、図４の回路２５に示すように、各電熱パネル５，５は、電源端子２６に対し、並列に接続されているので、１つの電熱パネルが断線しても、他の電熱パネルは通電するので、一部故障により全部の発熱中止になるおそれはない。また発熱量は可変抵抗２４で調整することができる。
【実施例２】
【００１９】
この考案の実施例を図３（ｃ）について説明すると、電熱パネル５は、化粧板１６（例えば合成樹支板に木目印刷）に発泡ウレタン板１７を層着し、発泡ウレタン板１７にカーボンメッシュ１８を層着し、カーボンメッシュ１８の表面に、テフロン（登録商標）シート１９を層着して一体化したものである。
【００２０】
前記において、カーボンメッシュ１８の上限温度を８０℃とすれば（図４中抵抗２４で制御）、各種樹脂でも十分耐熱性がある。
【００２１】
次に、図３（ｄ）の実施例について説明すると、電熱パネル５は化粧板１６に、発泡ウレタン板１７を層着し、発泡ウレタン板１７に絶縁フィルム２０（例えばテフロン（登録商標）フィルム）を被着し、前記テフロン（登録商標）フィルムに、カーボン粒子を塗布してカーボン層２１を設け、カーボン層２１へテフロン（登録商標）シート１９を層着して一体化したものである。前記各層の一体化には、合成樹脂接着剤を使用することができる。図中２３はスイッチである。
【００２２】
前記実施例においては、電熱パネルの発熱にカーボンメッシュ又はカーボン粒子を用いたが、これに限定されることなく、面発熱素材を使用することができる。
【図面の簡単な説明】
【００２３】
【図１】（ａ）この考案の実施例の組立斜視図、（ｂ）同じくＡ−Ａ断面図、（ｃ）同じくローラ支持を示す断面図。
【図２】同じく各部品を展開した斜視図。
【図３】（ａ）同じく電熱パネルの一部を省略した正面図、（ｂ）同じく一部を省略した背面図、（ｃ）同じく一部を省略した縦断拡大断面図、（ｄ）同じく他の実施例の一部を省略した縦断拡大断面図。
【図４】同じく回路図。
【符号の説明】
【００２４】
１  固定板
２  中空縁枠
３  中空縁枠
４  枠付固定板
５  電熱パネル
６  突起
７  凹部
８  溝
９  ローラ
１１  ローラ溝
１２  板バネ
１４  電線
１５  接片
１６  コード
【図１】
0003142453.tif 000003
【図２】
0003142453.tif 000004
【図３】
0003142453.tif 000005
【図４】
0003142453.tif 000006